(57)【要約】【課題】換気性能が低くなることなく、屋根の勾配制限が拡大することがなく、コストを低く抑えることができる換気装置を提供する。【解決手段】屋根勾配に応じて角度調整可能な換気部材本体６０と、該換気部材本体６０を覆う形状不変の換気棟包１５とを備える。屋根下地１０の棟頂部に設けられた開口部１１を覆うように設置される換気装置Ａに関する。換気棟包１５内であって、最も棟側に葺設される屋根材８の棟側端部８ａが屋根勾配に応じて移動する軌道よりも外方に換気部材本体６０を位置させる。屋根勾配が異なる各種の屋根下地１０に施工しても、最も棟側に載置された屋根材８の棟側端部８ａが換気部材本体６０に当たらないようにすることができる。【選択図】図１
2010127026.tif 000002
【特許請求の範囲】
【請求項１】
屋根勾配に応じて角度調整可能な換気部材本体と、該換気部材本体を覆う形状不変の換気棟包とを備え、屋根下地の棟頂部に設けられた開口部を覆うように設置される換気装置において、
換気棟包内であって、最も棟側に葺設される屋根材の棟側端部が屋根勾配に応じて移動する軌道よりも外方に換気部材本体を位置させて成ることを特徴とする換気装置。
【請求項２】
屋根勾配に応じて角度調整可能とし、通気用の通気孔と雨水等の浸入を防止する防水機構とを有する換気部材本体と、
該換気部材本体を外装し、屋外と屋内とを連通させる換気口を有する形状不変の換気棟包とを備え、
屋根下地の棟頂部に設けられた開口部を覆うように設置される換気装置において、
換気棟包内であって、棟側最上部に葺設される屋根材の棟側端部が屋根勾配に応じて移動する軌道よりも外方に設けられる空間上部に換気部材本体の防水機構を位置させて成ることを特徴とする換気装置。
【請求項３】
前記換気部材本体が、
前記開口部を挟んで棟側最上部に葺設された屋根材の棟側端部同士に掛け渡すように前記開口部の上方に配置され、平面視において開口部よりも軒側に位置するよう通気孔が形成されたベース部材と、
平面視において軒側先端が通気孔より軒側に位置するよう通気孔の上方に配置された防水機構としての第１の邪魔板と、
平面視において第１の邪魔板の軒側端部より軒側に位置するようベース部材の外面に立設された防水機構としての第２の邪魔板とを備えてなり、
前記換気棟包が、
その軒側先端部と屋根材との間から空気の出入りを可能とするよう、軒側先端部に換気口を設けて成ることを特徴とする請求項２に記載の換気装置。
【請求項４】
第１の邪魔板の軒側先端部を垂下させて設けて成ることを特徴とする請求項３に記載の換気装置。
【請求項５】
第２の邪魔板の先端部を軒側に突出させて設けて成ることを特徴とする請求項３又は４に記載の換気装置。
【発明の詳細な説明】
【技術分野】
【０００１】
本発明は、屋根の棟部に適用される換気装置に関するものである。
【背景技術】
【０００２】
従来より、各種の換気棟が提案されており、例えば、特許文献１には図１３に示すようなものが記載されている。この換気棟は換気装置Ａを用いて形成されており、換気装置Ａは換気部材本体６０と換気棟包１５から構成されている。
【０００３】
換気部材本体６０は、カバー材２、ベース材１及び仕切材２０を備えて形成されている。これらカバー材２、ベース材１及び仕切材２０はいずれも鋼板などの金属板を折り曲げ加工するなどして形成されている。カバー材２は、下面が開口する断面略コ字状の頂部２１と、頂部２１の両方の下端に突設されるカバー換気路形成片７０、７０と、各カバー換気路形成片７０の先端に略垂直に下方に向けて突設されるカバー立ち上げ片２３と、各カバー立ち上げ片２３の下端から軒側（頂部２１と反対側）に向かって突設されるカバー傾斜片４とを備えて形成されている。カバー換気路形成片７０には厚み方向（上下方向）に貫通する複数個のカバー換気口１３がカバー材２の長手方向に沿って並べて形成されている。ベース材１は屋根の棟部に沿って長く形成されるものであり、取付片２７と、取付片２７の長手端部に略垂直に下方に向けて突設されるベース換気路立ち上げ片２８と、ベース換気路立ち上げ片２８の先端に軒側（取付片２７の反対側）に突設されるベース換気路形成片７１と、ベース換気路形成片７１の先端に略垂直に下方に向けて突設されるベース立ち上げ片３０と、ベース立ち上げ片３０の下端から軒側（ベース換気路形成片７１と反対側）に向かって突設されるベース傾斜片５とを備えて形成されている。ベース換気路立ち上げ片２８には厚み方向（軒棟方向）に貫通する複数個の長孔のベース換気口１４がベース材１の長手方向に沿って並べて形成されている。仕切材２０は屋根の棟部に沿って長く形成されるものであり、断面略Ｌ字状に形成されている。
【０００４】
換気部材本体６０を形成するにあたっては以下のようにして行う。まず、カバー材２の各カバー換気路形成片７０の下面に仕切材２０を取り付ける。また、ベース材１のベース換気路形成片７１の上面に仕切材２０を取り付ける。この後、仕切材２０を取り付けたカバー材２の両側のカバー換気路形成片７０、７０の下面に、仕切材２０を取り付けたベース材１を一つずつ取り付けることによって、換気装置Ａを形成することができる。この換気装置Ａでは、カバー換気路形成片７０とこれに対向配置されるベース換気路形成片７１とカバー立ち上げ片２３とベース換気路立ち上げ片２８とで囲まれる空間がボックス状の換気経路３として形成されている。また、換気経路３は、ベース換気路立ち上げ片２８に設けたベース換気口１４により小屋裏などの屋内の空間側に連通することができ、カバー換気路形成片７０に設けたカバー換気口１３により屋外の空間側に連通することができるものである。また、カバー材２に取り付けた仕切材２０の仕切片３２及びベース材１に取り付けた仕切材２０の仕切片３２により換気経路３は迷路のようなジグザグな経路となるものである。さらに、カバー立ち上げ片２３とベース立ち上げ片３０の間及びカバー傾斜片４とベース傾斜片５との間に換気経路３と連通する隙間が設けられ、この隙間を排水用隙間として形成するものである。
【０００５】
換気棟包１５は、屋根材８と同様にセメントを主成分とする窯業系のものを使用することができる。また、換気棟包１５は下面が開口する断面略逆Ｕ字状に形成されるが、換気棟包１５の側部１５ａの下端と屋根材８との間には隙間が形成されており、この隙間は換気口５０として形成されている。
【０００６】
そして、上記換気装置Ａを用いた換気棟は以下のように形成されている。屋根下地１０の棟部には上下に貫通する開口部１１が形成されている。屋根下地１０は野地板等で形成されており、棟木３５の上に配設した垂木３６の上に屋根下地１０を形成することができる。開口部１１は屋根の棟部に沿って長く形成されている。開口部１１の長手方向の両側に棟桟受け金具３７、３７が設けられている。また、開口部１１の上側には換気用の捨て水切り１２が配設されている。捨て水切り１２は筒状に形成されており、その下端開口は開口部１１と連通している。屋根下地１０の上には複数枚の屋根材８，８…は配設されている。屋根材８としてはセメントを主成分とする窯業系のものを使用することができる。また、一対の棟桟受け金具３７，３７の上端に設けた断面コ字状の受け部４２、４２の間には、屋根の傾斜と直交する方向に長い角材の棟桟木４３を架設されている。
【０００７】
棟桟木４３の上には上記の換気部材本体６０が配設されている。このとき、カバー材２の頂部２１の下側に棟桟木４３が嵌り込むようにする。また、カバー傾斜片４及びベース傾斜片５は屋根の傾斜面とほぼ平行に（屋根の傾斜面に沿って）配置される。また、ベース傾斜片５の下面に弾性材９の上面を密着させてベース傾斜片５と屋根材８との隙間を弾性材９で塞ぐようにする。そして、換気部材本体６０の上側に換気部材本体６０を覆うようにして換気棟包１５を配設する。換気棟包１５はリング釘などの固定具５２を上面から棟桟木４３にまで打ち込むことにより固定することができる。
【０００８】
上記のように形成される換気棟は、換気部材本体６０によって第１通気空間６１と第２通気空間６２とに仕切られ、図１３に矢印イで示すように、小屋裏から開口部１１、捨て水切り１２、第１通気空間６１、換気部材本体６０のベース換気口１４、換気経路３、カバー換気口１３、第２通気空間６２及び換気口５０を通じて空気を流通させて換気を行うことができ、また、屋根下地１０と屋根材８との隙間の換気も同経路を通じて行うことができる。ここで第１通気空間６１とは、換気部材本体６０と屋根材８等（屋根下地１０を含む）によって形成される空間であり、第２通気空間６２とは、換気部材本体６０と換気棟包１５によって形成される空間である。そして、換気口５０から浸入した雨水がカバー換気口１３を通じて換気経路３にまで達しても、その雨水は仕切片３２で遮られて換気経路３を屋内側に浸入しないようにすることができ、図１３の矢印ロのように、換気経路３から排水用隙間を通じて屋根材８の上面に排水されるものであり、これにより、防水性能を高くすることができるものである。
【特許文献１】特開２００８−０５７２４１号公報
【発明の開示】
【発明が解決しようとする課題】
【０００９】
上記のような従来例では、換気装置Ａのカバー材２の側上面にカバー換気口１３を設け、その下部にベース材１を設けてボックス状に形成したものであり、強風時等に換気装置Ａの通気経路３内に入り込む雨水はベース材１内に集水され、排水用隙間を通じて通気経路３外に排水するものであるが、通気経路３はカバー材２とベース材１からなるボックス状の部分の内部に設けられており、狭い内部構造での設計であるために、大きく形成することができず、換気能力が低くなるおそれがあった。尚、換気能力は開口部１１や換気口５０などの開口部分の大きさや通気経路３の大きさなどで決定される有効開口面積で規定されるものである。
【００１０】
また、急勾配の屋根を形成する場合には、通常の勾配に比べて、最も棟側に配置した屋根材８の棟側端部８ａが上方に位置するために、屋根材８の棟側端部８ａと換気装置Ａのベース材１の下面（ボックス状の部分）とが当たって干渉し合い、施工できないことがあり、勾配制限を設ける必要があった。尚、一般的には屋根勾配は３〜１０寸であるが、上記従来例では３〜８寸となる。
【００１１】
また、カバー材２とベース材１からなるボックス状の部分を備えているため、構造が複雑で、材料コストや組み立て等にかかる加工コストが高くなるという問題があった。
【００１２】
本発明は上記の点に鑑みてなされたものであり、換気性能が低くなることなく、屋根の勾配制限が拡大することがなく、コストを低く抑えることができる換気装置を提供することを目的とするものである。
【課題を解決するための手段】
【００１３】
本発明の請求項１に係る換気装置Ａは、屋根勾配に応じて角度調整可能な換気部材本体６０と、該換気部材本体６０を覆う形状不変の換気棟包１５とを備え、屋根下地１０の棟頂部に設けられた開口部１１を覆うように設置される換気装置Ａにおいて、
換気棟包１５内であって、最も棟側に葺設される屋根材８の棟側端部８ａが屋根勾配に応じて移動する軌道よりも外方に換気部材本体６０を位置させて成ることを特徴とするものである。
【００１４】
また、本発明の請求項２に係る換気装置Ａは、屋根勾配に応じて角度調整可能とし、通気用の通気孔１３と雨水等の浸入を防止する防水機構６３とを有する換気部材本体６０と、
該換気部材本体６０を外装し、屋外と屋内とを連通させる換気口５０を有する形状不変の換気棟包１５とを備え、
屋根下地１０の棟頂部に設けられた開口部１１を覆うように設置される換気装置Ａにおいて、
換気棟包１５内であって、棟側最上部に葺設される屋根材８の棟側端部８ａが屋根勾配に応じて移動する軌道よりも外方に設けられる空間上部に換気部材本体６０の防水機構６３を位置させて成ることを特徴とするものである。
【００１５】
また、本発明の請求項３に係る換気装置Ａは、請求項２において、
前記換気部材本体６０が、
前記開口部１１を挟んで棟側最上部に葺設された屋根材８の棟側端部８ａ、８ａ同士に掛け渡すように前記開口部１１の上方に配置され、平面視において開口部１１よりも軒側に位置するよう通気孔１３が形成されたベース部材１と、
平面視において軒側先端が通気孔１３より軒側に位置するよう通気孔１３の上方に配置された防水機構６３としての第１の邪魔板６４と、
平面視において第１の邪魔板６４の軒側端部より軒側に位置するようベース部材１の外面に立設された防水機構６３としての第２の邪魔板５６とを備えてなり、
前記換気棟包１５が、
その軒側先端部と屋根材８との間から空気の出入りを可能とするよう、軒側先端部に換気口５０を設けて成ることを特徴とするものである。
【００１６】
また、本発明の請求項４に係る換気装置Ａは、請求項３において、第１の邪魔板６４の軒側先端部を垂下させて設けて成ることを特徴とするものである。
【００１７】
また、本発明の請求項５に係る換気装置Ａは、請求項３又は４において、第２の邪魔板５６の先端部を軒側に突出させて設けて成ることを特徴とするものである。
【発明の効果】
【００１８】
請求項１の発明では、屋根勾配が異なる各種の屋根下地１０に施工しても、最も棟側に載置された屋根材８の棟側端部８ａが換気部材本体６０に当たらないようにすることができ、屋根勾配が急勾配であっても施工することができて屋根の勾配制限が拡大することがなくなるものであり、しかも、従来のようなボックス状の部分が必要でなくなり、換気性能が低下することなく、また、コストを低く抑えることができるものである。
【００１９】
請求項２の発明では、屋根勾配が異なる各種の屋根下地１０に施工しても、最も棟側に載置された屋根材８の棟側端部８ａが換気部材本体６０の防水機構６３に当たらないようにすることができ、屋根勾配が急勾配であっても施工することができて屋根の勾配制限が拡大することがなくなるものであり、しかも、従来のようなボックス状の部分が必要でなくなり、換気性能が低下することなく、また、コストを低く抑えることができるものである。
【００２０】
請求項３の発明では、第１の邪魔板６４と第２の邪魔板５６とで雨水が開口部１１にまで達するのを防止することができ、防水性を高くすることができるものである。
【００２１】
請求項４の発明では、第１の邪魔板６４の軒側先端部を垂下することにより、通気口１３からの雨水の浸入を防止することができ、防水性を高くすることができるものである。
【００２２】
請求項５の発明では、第２の邪魔板５６の先端部を軒側に突出させることにより、通気口１３からの雨水の浸入を防止することができ、防水性を高くすることができるものである。
【発明を実施するための最良の形態】
【００２３】
以下、本発明を実施するための最良の形態を説明する。
【００２４】
図１に換気棟の一例を示す。この換気棟は換気装置Ａを備えて形成されており、換気装置Ａとしては換気部材本体６０と換気棟包１５とを備えたものを用いることができる。
【００２５】
本発明の換気部材本体６０は屋根の棟部に沿って長く形成されるものであり、ベース材１及び第１、２の邪魔板６４、５６などを備えて形成されている。これらのベース材１及び第１、２の邪魔板６４、５６はいずれも鋼板などの金属板を折り曲げ加工するなどして形成されており、これにより屋根勾配に応じて角度調整可能に形成されている。ここで、「屋根勾配に応じて角度調整可能」とは、屋根勾配に応じて換気部材本体６０の角度を可変して形状を変えることができるものである。すなわち、換気部材本体６０は後述のように、頂部２１を挟んで両側に通気孔覆い片２２、２２を有するが、この通気孔覆い片２２、２２の間の角度を屋根勾配に応じて曲げ加工により変えることができるものである。また、換気部材本体６０は後述のように、取付部２７とベース本体形成片２９とベース立ち上げ片３０とを連ねて形成しているが、取付部２７とベース本体形成片２９の間の角度やベース本体形成片２９とベース立ち上げ片３０の間の角度を屋根勾配に応じて曲げ加工により変えることができるものである。また、換気部材本体６０が金属板のバネ効果（弾性力）を有することになり、このバネ効果により後述の弾性材（防水材）９の押え付けや換気棟包１５の配置の直線性を容易に確保することができるものである。
【００２６】
第１の邪魔板６４は防水機構６３として屋根の棟部に沿って長く形成されるものであり、図２（ａ）（ｂ）に示すように、平板状の頂部２１と、頂部２１の両方の長手端部から斜め下方に向かって突出する通気孔覆い片２２、２２と、各通気孔覆い片２２の先端に略垂直に下方に向けて突設される水切り片５５とを備えて形成されている。
【００２７】
ベース材１は屋根の棟部に沿って長く形成されるものであり、図２（ａ）（ｂ）に示すように、下面が開口する断面略コ字状の取付部２７と、取付部２７の両方の長手端部から軒側（取付部２７の反対側）に向けて斜め下方に突出するベース本体形成片２９と、ベース本体形成片２９の先端に略垂直に下方に向けて突設されるベース立ち上げ片３０と、ベース立ち上げ片３０の下端から軒側（ベース本体形成片２９と反対側）に向かって突設されるベース傾斜片５とを備えて形成されている。ベース本体形成片２９には厚み方向（上下方向）に貫通する複数個の長孔の通気孔１３、１３…が設けられている。通気孔１３はベース本体形成片２９の基部（取付部２７との接続部分の近傍）においてカバー材２の長手方向に沿って並べて形成されている。また、図２（ｃ）のように、通気孔１３の周縁部に立ち上げ部５７が突設されている。立ち上げ部５７は通気孔１３の周縁部においてベース材１の金属板の一部を表面側に突出するように変形させる（バーリング加工）ことによって、通気孔１３を囲うように形成することができる。また、ベース材１の長手方向の両端部の下面（裏面）にはＥＰＤＭ等で形成される防水シーラーが貼着されている。
【００２８】
第２の邪魔板５６は防水機構６３として屋根の棟部に沿って長く形成されるものであり、固定片３１と、固定片３１の長手端部に略垂直に突設される遮水板３２と、遮水板３２の上端に固定片３１と同方向に突出する防水片３３とを備えて断面略コ字状に形成されている。
【００２９】
そして、換気部材本体６０を形成するにあたっては以下のようにして行う。まず、第１の邪魔板６４をベース材１の上に取り付ける。このとき、第１の邪魔板６４の頂部２１をベース材１の取付部２７の上面に載せた後、頂部２１と取付部２７とをリベットなどで接合することができる。また、ベース材１に取り付けられた第１の邪魔板６４の各通気孔覆い片２２は取付部２７よりも軒側にそれぞれ突出し、通気孔１３の上方を覆うように配置されるものである。そして、平面視において通気孔覆い片２２の軒側先端が通気孔１３より軒側に位置するよう通気孔１３の上方に配置されることで、通気孔１３に雨水等が落下するのを防止することができるものである。また更に、水切り片５５が垂れ下がった状態で配置されることで、より確実に通気孔１３よりも軒側に雨水等を落下させることができるものである。
【００３０】
次に、第２の邪魔板５６をベース材１の上に取り付ける。このとき、第２の邪魔板５６の固定片３１をベース材１のベース本体形成片２９の上面に載せた後、固定片３１とベース本体形成片２９とをリベットなどで接合することができる。また、第２の邪魔板５６は両方のベース本体形成片２９に一つずつ取り付けられるが、各第２の邪魔板は平面視において第１の邪魔板６４の軒側端部より軒側に位置するようベース部材の外面に立設されており、これにより、換気部材本体６０を施工したときに、第１の邪魔板５５と換気口５０との間に第２の邪魔板５６を立ち上げて設けることができる。また、第２の邪魔板５６の固定片３１と防水片３３は軒側（通気孔１３と反対側）に向けられており、これにより、換気部材本体６０を施工したときに、換気口５０側に向けて固定片３１と防水片３３を突出させることができる。この防水片３３により、強風時などに換気口５０から吹き込んだ雨水等の流入方向が換気口５０に向かうように変えられることになり、開口部１１への雨水の浸入を防止することができるものである。さらに、第２の邪魔板５６の遮水片３２と第１の邪魔板５５との間には通気間隙５８が形成されており、遮水片３２と取付部２７の側面とが対峙して配置されている。
【００３１】
次に、換気棟包１５の形状について詳述する。山型頂部６５と山型頂部６５の軒側端部から下方に伸びる第１傾斜片６６と、第１傾斜片６６の下端から山型頂部と略同角度で伸びる段部形成片６７と、段部形成片６７の軒側端部から下方に伸びる第２傾斜片６８を備えている。そして、この換気棟包１５にあっては、第１傾斜片６６と段部形成片６７との間に形成される段部１５ｂよりも下方に形成される空間内に、最も棟側に葺設される屋根材８の棟側端部８ａが所定の範囲（例えば３〜１０寸の範囲）のそれぞれの屋根勾配に応じて移動する軌道が収まるように設計されている。また、段部形成片６７の裏面側の突出部分が換気部材本体６０のベース本体形成片２９の軒側上面に載置されることにより換気棟包１５が安定して施工されるとともに、換気部材本体６０のベース傾斜片５の裏面が弾性材９に押し付けられ防水性を確保することができるものである。
【００３２】
上記の本発明の換気装置Ａを用いて換気棟を形成するにあたっては次のようにして行う。まず、図３に示すように、屋根下地１０の棟部に上下に貫通する開口部１１を形成する。屋根下地１０は野地板等で形成することができ、棟木３５の上に垂木３６を配設し、垂木３６の上に屋根下地１０を配設することができる。開口部１１は屋根の棟部に沿って長く形成されている。また、開口部１１の長手方向の両側には棟桟受け金具３７、３７が設けられている。棟桟受け金具３７は、その下端に設けた取着片３８を、棟部を挟んで両側の屋根下地１０にビス３９で取り付けることによって、屋根下地１０の上面に立設する。次に、図４に示すように、開口部１１の上側に換気用の捨て水切り１２を配設する。捨て水切り１２は、筒部４０とその下端に設けた支持片４１、４１とで形成されており、棟部を挟んで両側の屋根下地１０に支持片４１，４１をビスや釘などの固定具８０で取り付けることによって、屋根下地１０の上面に立設する。また、捨て水切り１２の外周にはシーリングを塗布して屋根下地１０との隙間を塞ぐようにする。また、筒部４０の内周面には防露材が設けられている。そして、筒部４０の下端開口は開口部１１と連通して配置される。
【００３３】
次に、図５に示すように、屋根下地１０の上に防水シート（下葺材）を介して複数枚の屋根材８，８…を配設する。屋根材８としてはセメントを主成分とする窯業系のものを使用することができる。左右方向（屋根の傾斜と直交する方向）に隣接する屋根材８，８は側端部に形成された実を重ね合わせて配設されている。尚、この構造に限られることなく、屋根材８，８は側端部同士を突き合わせるようにしてもよい。また、軒棟方向（屋根の傾斜方向）に隣接する屋根材８，８は、軒側に配置された屋根材８の棟側端部の上面に、棟側に配置された屋根材８の軒側端部を載置するようにする。また、屋根材８により棟桟受け金具３７の取着片３８や捨て水切り１２の支持片４１は覆い隠されるが、棟桟受け金具３７の上端の受け部４２や捨て水切り１２の筒部４０の上端は屋根材８よりも上側に位置している。屋根材８の棟側端部は釘等の固定具４６で屋根下地１０に固定される。次に、図６に示すように、一対の棟桟受け金具３７，３７の上端に設けた断面コ字状の受け部４２、４２の間に、屋根の傾斜と直交する方向に長い角材の棟桟木４３を架設する。このとき、筒部４０の上側開口と棟桟木４３の間には間隙が形成されている。次に、図７に示すように、屋根材８の上面に弾性材９を配設する。弾性材９は、屋根の傾斜と直交する方向に長く配置されるものであり、例えば、防水シーラーで形成することができる。また、弾性材９を配設するにあたっては、面戸４５を仮置きし、弾性材９の配設位置を決める。このようにして棟部を挟んで両側において屋根材８、８の上面に弾性材９，９を配設することができる。次に、図８に示すように、一対の面戸（乾式面戸）４５、４５を配設する。この面戸４５の断面形状は換気部材本体６０のベース材１の断面形状と略同一で材質も同様のものである。また、面戸４５は開口部１１の上方及び捨て水切り１２の上方を除き棟桟木４３の略全長に亘って配置され、面戸４５と棟桟木４３の間には防水シート（下葺材）が設けられている。さらに、面戸４５の端部の下面は弾性材９の上面に密着している。また、面戸４５としては、裏面側に粘着材が設けられた可撓性を有する金属製のシート部材であっても良いものであり、この場合には、面戸４５に対応する箇所の弾性材９は不要となるものである。
【００３４】
次に、図９に示すように、面戸４５，４５の間において、開口部１１上方の棟桟木４３の上に上記換気装置Ａを配設する。このとき、カバー材２の頂部２１の下側に棟桟木４３が嵌り込むようにする。また、ベース傾斜片５は屋根の傾斜面とほぼ平行に（屋根の傾斜面に沿って）配置される。また、ベース傾斜片５の下面に弾性材９の上面を密着させてベース傾斜片５と屋根材８との隙間を弾性材９で塞ぐようにする。さらに、換気部材本体６０の長手方向の両端部は、各面戸４５の端部に重ねるようにする。この時、防水シーラーが面戸４５と換気部材本体６０との接合部の防水性を確保するものである。次に、図１０に示すように、一方の面戸４５の上にこの面戸４５を覆うようにして棟包４７を配設する。次に、図１１に示すように、換気部材本体６０の上側に換気部材本体６０を覆うようにして換気棟包１５を配設する。次に、図１２に示すように、他方の面戸４５の上にもう一つの棟包４７をこの面戸４５を覆うようにして配設する。ここで、換気棟包１５と棟包４７は屋根材８と同様にセメントを主成分とする窯業系のものを使用することができる。また、換気棟包１５と棟包４７とはほぼ同じ断面形状を有し、下面が開口する断面略逆Ｕ字状に形成されると共に第２傾斜片６８である換気棟包１５の側部１５ａは棟包４７の側部４７ａよりも長さが短く形成されている。
【００３５】
従って、棟包４７の下端は屋根材８の上面と当接した状態となるが、換気棟包１５の下端と屋根材８との間には隙間が形成されており、この隙間は換気口５０として形成されている。また、棟包４７と換気棟包１５とは重ね代部５１で重ね合わされている。そして、棟包４７と換気棟包１５はリング釘などの固定具５２を上面から棟桟木４３にまで打ち込むことにより固定することができる。
【００３６】
上記のように形成される換気棟は、図１に矢印イで示すように、小屋裏から開口部１１、捨て水切り１２の筒部４０、第１通気空間６１、換気部材本体６０の通気孔１３，通気間隙５８、第２通気空間６２及び換気口５０を通じて空気を流通させて換気を行うことができる。ここで第１通気空間６１とは、換気部材本体６０と屋根材８等（屋根下地１０を含む）によって形成される空間であり、第２通気空間６２とは、換気部材本体６０と換気棟包１５によって形成される空間である。また、換気口５０から吹き込んだ雨水は第１、２の邪魔板６４、５６で遮られて通気孔１３に浸入しないようにすることができ、図１の矢印ロのように、換気棟包１５の下端と屋根材８の上面との隙間を通じて屋根材８の上面に排水されるものであり、これにより、防水性能を高くすることができるものである。また、開口部１１より軒側に通気孔１３を位置させているため、万が一、通気孔１３から雨水が浸入しても屋根材８上又は屋根下地１０上に落下（流下）して排水されることになる。また、本発明の換気装置Ａでは、第１の邪魔板６４をベース材１のベース本体形成片２９の上方に垂れ下げて設け、第２の邪魔板５６をベース材１のベース本体形成片２９の上面に立設したので、第１、２の邪魔板６４、５６が棟頂部５３側に突出することになり、ベース本体形成片２９の下面には第１、２の邪魔板６４、５６が突出せず、屋根勾配が異なる複数種の屋根下地１０に施工した場合に屋根材８の傾斜角度が変わっても、ベース材１のベース本体形成片２９の下面と屋根材８の棟側端部８ａとの間に空間が形成されることになり、このため、換気部材本体６０の第１、２の邪魔板６４、５６からなる防水機構６３が、棟側最上部に葺設される屋根材８の棟側端部８ａが屋根勾配に応じて移動する軌道よりも外方（棟頂部５３側）に設けられることになり、屋根勾配が急勾配であっても、屋根材８の棟側端部８ａがベース材１のベース本体形成片２９の下面に当たらないようにすることができ、屋根勾配が３〜１０寸まで対応することができる。
【図面の簡単な説明】
【００３７】
【図１】本発明の実施の形態の一例を示し、施工状態の断面図である。
【図２】同上の（ａ）は分解斜視図、（ｂ）は断面図、（ｃ）は一部の断面図である。
【図３】同上の換気棟の形成工程の一部を示す斜視図である。
【図４】同上の形成工程の一部を示す斜視図である。
【図５】同上の形成工程の一部を示す斜視図である。
【図６】同上の形成工程の一部を示す斜視図である。
【図７】同上の形成工程の一部を示す斜視図である。
【図８】同上の形成工程の一部を示す斜視図である。
【図９】同上の形成工程の一部を示す斜視図である。
【図１０】同上の形成工程の一部を示す斜視図である。
【図１１】同上の形成工程の一部を示す斜視図である。
【図１２】同上の形成工程の一部を示す斜視図である。
【図１３】従来例を示す断面図である。
【符号の説明】
【００３８】
Ａ  換気装置
１  ベース材
８  屋根材
８ａ  棟側端部
１０  屋根下地
１１  開口部
１３  通気孔
１５  換気棟包
５０  換気口
５６  第２の邪魔板
６０  換気部材本体
６３  防水機構
６４  第１の邪魔板
【図１】
2010127026.tif 000003
【図２】
2010127026.tif 000004
【図３】
2010127026.tif 000005
【図４】
2010127026.tif 000006
【図５】
2010127026.tif 000007
【図６】
2010127026.tif 000008
【図７】
2010127026.tif 000009
【図８】
2010127026.tif 000010
【図９】
2010127026.tif 000011
【図１０】
2010127026.tif 000012
【図１１】
2010127026.tif 000013
【図１２】
2010127026.tif 000014
【図１３】
2010127026.tif 000015